(57)【要約】【課題】地物に対応するアイコン又はマークを地図と共に表示する場合に、車両の使用者が当該地物の推薦度を迅速に認識可能に表示することが可能な表示制御装置を提供する。【解決手段】ディスプレイＤを用いた表示の対象である地物の当表示示における推薦度を示す推薦度情報を取得するインターフェース１と、アイコン等を用いてディスプレイＤにより地物の表示を行うとき、当該表示される地物を示すアイコンと、当該アイコン等により示される地物の推薦度を示す推薦度マークと、を、インターフェース１により取得した推薦度情報に基づいて、使用者が地物についての推薦度が認識可能な態様で関連付けて表示する表示制御部２と、を備える。【選択図】図２
2017045285.tif 000002
【特許請求の範囲】
【請求項１】
使用者への地物の推薦度を示す推薦度情報を取得する取得手段と、
複数の前記地物を示すアイコン又はマークそれぞれの表示態様を、前記取得した推薦度情報に応じて異ならせて表示する表示制御手段と、
を備えることを特徴とする表示制御装置。
【請求項２】
請求項１に記載の表示制御装置において、
前記取得手段は、前記使用者の履歴を示す履歴情報を取得し、
前記表示制御手段は、前記取得された履歴情報に基づいて決定された前記推薦度に応じて、複数の前記地物を示す前記アイコン又はマークそれぞれの表示態様を異ならせて表示することを特徴とする表示制御装置。
【請求項３】
請求項１又は請求項２に記載の表示制御装置において、
前記表示制御手段は、前記推薦度情報に基づき、前記推薦度の順位が認識可能な前記表示態様で、前記アイコン又はマークを表示することを特徴とする表示制御装置。
【請求項４】
請求項１から請求項３のいずれか一項に記載の表示制御装置において、
前記表示態様は、前記推薦度の順位に対応する数字、或いは前記推薦度の順位を色又は模様で示す図形、のいずれかであることを特徴とする表示制御装置。
【請求項５】
請求項１から請求項４のいずれか一項に記載の表示制御装置において、
前記アイコン又はマークの表示を停止すべき表示停止条件を満たした場合であっても、  前記表示制御手段は、表示済みの前記アイコン又はマークの表示を所定期間継続することを特徴とする表示制御装置。
【請求項６】
請求項５に記載の表示制御装置において、
前記推薦度は、時刻の変化に応じて変化することを特徴とする表示制御装置。
【請求項７】
請求項１から請求項６のいずれか一項に記載の表示制御装置において、
前記使用者が移動体により移動している場合において前記表示制御手段は、現在地以降の当該移動の経路に対応した前記地物以外の当該地物を示す前記アイコン又はマークの表示を停止するように制御することを特徴とする表示制御装置。
【請求項８】
請求項７に記載の表示制御装置において、
前記アイコン又はマークの表示を停止する場合に前記表示制御手段は、当該表示の視認性を段階的に低下させた後に当該表示を停止することを特徴とする表示制御装置。
【請求項９】
請求項１から請求項８のいずれか一項に記載の表示制御装置において、
複数の異なる選択を入力可能な操作手段を更に備え、
前記表示制御手段は、選択対象である前記地物と、当該地物を選択する際に操作されるべき前記複数の異なる選択を入力可能な前記操作手段の位置と、を関連付ける地物−位置関連画像を更に表示することを特徴とする表示制御装置。
【請求項１０】
表示手段における表示を制御する表示制御装置において実行される表示制御方法において、
使用者への地物の推薦度を示す推薦度情報を取得する取得工程と、
複数の前記地物を示すアイコン又はマークそれぞれの表示態様を、前記取得した推薦度情報に応じて異ならせて表示する表示制御工程と、
を備えることを特徴とする表示制御方法。
【請求項１１】
コンピュータを、請求項１から請求項９のいずれか一項に記載の表示制御装置として機能させることを特徴とする表示制御用プログラム。
【発明の詳細な説明】
【技術分野】
【０００１】
本願は、表示制御装置及び表示制御方法並びに表示制御用プログラムの技術分野に属する。より詳細には、液晶ディスプレイ等の表示手段における表示を制御する表示制御装置及び表示制御方法並びに当該表示制御装置用のプログラムの技術分野に属する。
【背景技術】
【０００２】
近年、地図データや外部からの渋滞データ等に基づいて車両等の移動体の移動を案内するナビゲーション装置が広く一般化している。このとき当該案内においては、液晶ディスプレイ等からなるディスプレイ上に上記地図データに基づいた地図が表示されることが多い。更に当該地図内には、使用者の目的や意図に応じた様々な施設や地点を示すアイコンやマークが、当該施設や地点の実際の位置に対応した当該地図上の位置に表示される。なお以下の説明において、上記施設や地点を纏めて「地物」と称する。
【０００３】
一方、上記アイコンやマークが、運転者の嗜好の変化や現在位置に応じて変更可能であれば、便利である。このような要求に対応した従来技術を示す先行技術文献としては、例えば下記特許文献１が挙げられる。この特許文献１に記載されている従来技術では、車両の運転者の嗜好の変化や利用時間帯の変化に応じて、施設を示すアイコン表示が自動で変更可能とされている。
【先行技術文献】
【特許文献】
【０００４】
【特許文献１】特開２００６−２５１７２０号公報
【発明の概要】
【発明が解決しようとする課題】
【０００５】
しかしながら、上記特許文献１に記載されている従来技術では、例えば表示される施設を使用者に推薦する場合の推薦度に差がある場合でも、全ての施設が同様に表示されてしまい、当該施設それぞれの推薦度を迅速に認識することができないという問題点があった。
【０００６】
そこで本願は、上記の問題点に鑑みて為されたもので、その課題の一例は、地物に対応するアイコン又はマークを地図と共に表示する場合に、車両の使用者が当該地物の推薦度を迅速に認識可能に表示することが可能な表示制御装置及び表示制御方法並びに当該表示制御装置用のプログラムを提供することにある。
【課題を解決するための手段】
【０００７】
上記の課題を解決するために、請求項１に記載の発明は、使用者への地物の推薦度を示す推薦度情報を取得する取得手段と、複数の前記地物を示すアイコン又はマークそれぞれの表示態様を、前記取得した推薦度情報に応じて異ならせて表示する表示制御手段と、を備える。
【０００８】
上記の課題を解決するために、請求項１０に記載の発明は、表示手段における表示を制御する表示制御装置において実行される表示制御方法において、使用者への地物の推薦度を示す推薦度情報を取得する取得工程と、複数の前記地物を示すアイコン又はマークそれぞれの表示態様を、前記取得した推薦度情報に応じて異ならせて表示する表示制御工程と、を含む。
【０００９】
上記の課題を解決するために、請求項１１に記載の発明は、コンピュータを、請求項１から請求項９のいずれか一項に記載の表示制御装置として機能させる。
【図面の簡単な説明】
【００１０】
【図１】実施形態に係る表示制御装置の概要構成を示すブロック図である。
【図２】実施例に係る地図表示制御装置の概要構成を示すブロック図である。
【図３】実施例に係る地図表示制御処理を示すフローチャートである。
【図４】実施例に係る地図表示制御処理の対象となる地図表示を例示する図である。
【図５】実施例に係るアイコン等の表示例を示す図（Ｉ）であり、（ａ）は当該表示の第１例を示す図であり、（ｂ）は当該表示の第２例を示す図であり、（ｃ）は当該表示の第３例を示す図である。
【図６】実施例に係るアイコン等の表示例を示す図（II）である。
【図７】実施例に係るアイコン等の表示例を示す図（III）である。
【図８】実施例に係るアイコン等の選択操作を例示する図であり、（ａ）は当該選択操作に供される地図の表示例を示す図であり、（ｂ）は当該選択操作のためのハンドルの構成を示す正面図である。
【発明を実施するための形態】
【００１１】
次に、本願を実施するための形態について図１を用いて説明する。なお図１は、実施形態に係る表示制御装置の概要構成を示すブロック図である。
【００１２】
図１に示すように、実施形態に係る表示制御装置Ｓは、取得手段１と、表示制御手段２と、を備えて構成されている。
【００１３】
この構成において取得手段１は、使用者への地物の推薦度を示す推薦度情報を取得する。
【００１４】
そして表示制御手段２は、複数の地物を示す前記アイコン又はマークのそれぞれの表示態様を、取得手段１により取得した推薦度情報に応じて異ならせて表示する。
【００１５】
以上説明したように、実施形態に係る表示制御装置Ｓの動作によれば、アイコン等を用いた表示により地物を提示するとき、推薦度情報応じて異なる表示態様で表示するので、使用者が地物の推薦度を迅速に認識可能に表示することができる。
【実施例】
【００１６】
次に、上述した実施形態に対応する具体的な実施例について、図１乃至図８を用いて説明する。なお以下に説明する実施例は、車両の移動を案内するナビゲーション装置に含まれる地図表示制御装置であって、当該案内用の地物が存在する地図上の位置にその地物を示すアイコン又はマークを表示する機能を備える地図表示制御装置に対して本願を適用した場合の実施例である。
【００１７】
また、図２は実施例に係る地図表示制御装置の概要構成を示すブロック図であり、図３は実施例に係る地図表示制御処理を示すフローチャートであり、図４は当該地図表示制御処理の対象となる地図表示を例示する図である。更に、図５乃至図７は実施例に係るアイコンの表示例をそれぞれ示す図であり、図８は実施例に係るアイコン等の選択操作を例示する図である。このとき図２では、図１に示した実施形態に係る表示制御装置Ｓにおける各構成部材に対応する実施例の構成部材それぞれについて、当該表示制御装置Ｓにおける各構成部材と同一の部材番号を用いている。
【００１８】
図２に示すように、実施例に係る地図表示制御装置ＮＶは、インターフェース１と、ＣＰＵ、ＲＡＭ（Random Access Memory）及びＲＯＭ（Read Only Memory）等からなる推薦度データ生成部１０及び表示制御部２と、ＨＤＤ（Hard Disc Drive）又はＳＳＤ（Solid State Drive）等に不揮発性に記録されているデータベースＤＢと、液晶ディスプレイ等からなるディスプレイＤと、により構成されている。このとき、上記インターフェース１、表示制御部２及び推薦度データ生成部１０は、上記ＣＰＵ等を含むハードウェアロジック回路を用いて実現されてもよいし、或いは、後述する実施例に係る地図表示制御処理に相当するプログラムを上記ＣＰＵ等が読み出して実行することにより、ソフトウェア的に実現されるものであってもよい。
【００１９】
また上記の構成において、インターフェース１が実施形態に係る取得手段１の一例に相当し、表示制御部２が実施形態に係る表示制御手段２の一例に相当する。そして、上記インターフェース１及び表示制御部２により実施形態に係る表示制御装置Ｓの一例を構成している。更に、上記地図表示制御装置ＮＶが含まれるナビゲーション装置としては、図２に示す地図表示制御装置ＮＶの構成に加えて、図示しない操作部、ＧＰＳ（Global Position System）測位部、ルート設定部及び案内音声出力部（スピーカ）等を備えている。
【００２０】
次に、実施例に係る地図表示制御装置ＮＶの動作について、図２乃至図８を用いて説明する。なお図３に示すフローチャートにより示される実施例に係る地図表示制御処理は地図制御部２を中心として実行される処理であり、例えば図示しない操作部において地図をディスプレイＤに表示すべき操作が実行されたタイミング等から開始される。
【００２１】
先ず上記データベースＤＢには、ディスプレイＤに表示されるべき地図に相当する地図データと、当該地図に含まれてディスプレイＤに表示される道路上の既定の点を示すノードのノードデータと、当該ノード同士を接続し且つ上記道路に対応するリンクデータと、上記地図に含まれる地物の当該地図上の位置を示す位置データと、地物を当該地図上に表示する際に使用され且つ当該地物を示すアイコン又はマークに相当するアイコンデータと、が、予め記録されている。なお以下の説明において、上記アイコン又はマークを、単に「アイコン等」と称する。
【００２２】
次に上記推薦度データ生成部１０は、上記地図に含まれる地物の、使用者への提示における推薦度を示す実施例に係る推薦度データを生成する。このとき当該推薦度データは例えば、当該使用者の普段の行動範囲においてよく訪れる地物等の履歴データ（当該履歴データは、例えばデータベースＤＢに予め記録されている。）や、地図表示制御装置ＮＶが搭載されている車両の現在位置を示すデータ等に基づいて、推薦度データ生成部１０により生成される。この推薦度データが本願に係る「推薦度情報」の一例に相当する。このとき推薦度データは例えば、「０」から「１００」までの値を有し、使用者への提示の推薦度が高いほど大きい値とされて生成される。また、実施例に係る推薦度に応じて地物を示すアイコン等と共にディスプレイＤに表示される推薦度マークを示す推薦度マークデータも、上記データベースＤＢに予め記録されている。なお、表示態様の異なる複数の推薦度マークデータを有してもよい。例えば、推薦度データの高い順に上位四つの地物を示すアイコン等がそれぞれ複数表示される場合に、表示態様の異なる複数の推薦度マークデータを用いて、表示態様の異なる複数のマークを当該複数のアイコンと共にそれぞれ表示する。なお、推薦度データが高い地物を示すアイコン等ほど使用者にとって認識し易い（より具体的には、例えば「大きい」又は「明るい」等）表示態様のマークを表示するようにしてもよい。
【００２３】
次にインターフェース１は、表示制御部２からの要求に基づいて、地図としてのディスプレイＤに表示すべき地物に対応する上記推薦度データを推薦度データ生成部１０から取得する（図３ステップＳ１）。その後、上記生成された推薦度データにより示される推薦度が高い順に所定の数（例えば、四つ）の地物を決定する。これに加えてインターフェース１は、同様に表示制御部２からの要求に基づいて、推薦度マークをディスプレイＤに表示するための推薦度マークデータと、上記決定された地物を示すアイコンをディスプレイＤに表示するためのアイコンデータと、をデータベースＤＢから取得する。そしてインターフェース１は、当該取得した推薦度マークデータ及びアイコンデータを表示制御部２に出力する。
【００２４】
これにより表示制御部２は、ディスプレイＤに表示すべき地図に相当する地図データと、当該地図と共にディスプレイＤに表示すべき地物を示すアイコンデータと、当該地物に対応する推薦度を示す推薦度マークを表示するための推薦度マークデータと、を用いて、当該地図、当該アイコン及び当該推薦度マークをディスプレイＤに表示する。この際に表示制御部２は、上記推薦度に応じて推薦度マークの表示態様を制御する（図３ステップＳ２）。即ち表示制御部２は、推薦度マークを含むアイコンの表示態様を上記推薦度に応じて異ならせて表示する。なお、ステップＳ２の地図表示制御処理については、後ほど纏めて説明する。
【００２５】
その後表示制御部２は、例えばディスプレイＤにおける地図表示を表示する終了する操作が図示しない操作部において実行されたか否かを確認する等により、実施例に係る地図表示制御処理を終了するか否かを判定する（ステップＳ３）。ステップＳ３の判定において、当該地図表示制御処理を終了する場合、表示制御部２は上記ナビゲーション装置としての他の処理に移行する。一方ステップＳ３の判定において、未だアイコン等を表示していない他の地物がある等の理由により実施例に係る地図表示制御処理を継続する場合（ステップＳ３；ＮＯ）、地図制御部３は当該他の地物について実施例に係る地図表示制御処理を実行すべく上記ステップＳ１に戻る。
【００２６】
次に、上記ステップＳ２のアイコン等の表示制御処理について、より具体的に図４乃至図７を用いて説明する。
【００２７】
先ず、図４に例示する地図ＭＰをディスプレイＤに表示すべき旨が、例えば図示しない操作部における操作により指定されたとする。このとき地図ＭＰでは、例えばＡレンタルビデオ店を示すアイコンＴＵと、Ｂハンバーガーショップを示すアイコンＭＡと、Ｃ牛丼店を示すアイコンＳＫと、Ｄコーヒー店を示すアイコンＳＢと、が、当該Ａレンタルビデオ店と、Ｂハンバーガーショップ、Ｃ牛丼店及びＤコーヒー店それぞれの位置に相当する地図ＭＰ上の位置に、それぞれ表示されるものとする。そして、それぞれの地物（店舗）に対応する推薦度は、
Ａレンタルビデオ店＞Ｂハンバーガーショップ＞Ｃ牛丼店＞Ｄコーヒー店
の順であったとする。
【００２８】
このとき地図制御部２は、図３ステップＳ２のアイコン等表示制御処理として、例えば図５（ａ）に示すように、推薦度が最も高い地物であることを示す推薦度マークＰ１をアイコンＴＵの左上に重ねて表示するように制御し、推薦度が二番目の地物であることを示す推薦度マークＰ２をアイコンＳＫの左上に重ねて表示するように制御する。また同様に、推薦度が三番目の地物であることを示す推薦度マークＰ２をアイコンＭＡの左上に重ねて表示するように制御し、更に推薦度が四番目の地物であることを示す推薦度マークＰ４をアイコンＳＢの左上に重ねて表示するように制御する。
【００２９】
また他の例として地図制御部２は、例えば図５（ｂ）に示すように、上記推薦度マークＰ１をアイコンＴＵの全体に重ねて表示するように制御し、上記推薦度マークＰ２をアイコンＳＫの全体に重ねて表示するように制御してもよい。また同様に、上記推薦度マークＰ３をアイコンＭＡの全体に重ねて表示するように制御し、更に上記推薦度マークＰ４をアイコンＳＢの全体に重ねて表示するように制御してもよい。
【００３０】
更に他の例として地図制御部２は、例えば図５（ｃ）に示すように、推薦度が最も高い地物であることを示し且つ枠形の推薦度マークＰ１でアイコンＴＵの周囲を囲むように表示制御し、推薦度が二番目の地物であることを示し且つ推薦度マークＰ１と異なる色又は模様を有する枠形の推薦度マークＰ２でアイコンＳＫの周囲を囲むように表示制御してもよい。また同様に、推薦度が三番目の地物であることを示し且つ推薦度マークＰ１及び推薦度マークＰ２と異なる色又は模様を有する枠形の推薦度マークＰ３でアイコンＭＡの周囲を囲むように表示制御し、更に推薦度が四番目の地物であることを示し且つ推薦度マークＰ１乃至推薦度マークＰ３と異なる色又は模様を有する枠形の推薦度マークＰ４でアイコンＳＢの周囲を囲むように表示制御してもよい。このとき推薦度マークＰ１、推薦度マークＰ２、推薦度マークＰ３及び推薦度マークＰ４は、それぞれ推薦度の順に目立つような表示態様であることが望ましい。即ち、推薦度マークＰ１乃至推薦度マークＰ４の表示態様は、例えば、それぞれ明るい順や輝度が高い順、大きい順、点滅の回数が多い順になるような表示態様とされる。
【００３１】
なお、図５にそれぞれ示す推薦度マークＰ１乃至推薦度マークＰ４それぞれをディスプレイＤに表示するための上記推薦度マークデータは、必要に応じて表示制御部２によりデータベースＤＢから読み出されて当該表示制御に供される。また以下の説明において、推薦度マークＰ１乃至推薦度マークＰ４に共通の事項を説明する場合、これらを纏めて「推薦度マークＰ」と称する。
【００３２】
更に図５に例示する態様の他に地図制御部２は、図３ステップＳ２のアイコン等表示制御処理として例えば図６に示すように、地図ＭＰと共に表示される各アイコンＴＵ乃至アイコンＳＢのそれぞれについて、対応する推薦度データによる推薦度の高さの順に応じてアイコン自体の大きさを変えて表示するように制御してもよい。このとき図６に例示する場合は、各アイコンにより示される地物に対応する推薦度は、
アイコンＭＡにより示されるＢハンバーガーショップ＞アイコンＳＢにより示されるＤコーヒー店＞アイコンＳＫにより示されるＣ牛丼店＞アイコンＴＵにより示されるＡレンタルビデオ店
であることになる。なお、各アイコンの大きさを変えて表示すると共に、図５（ｃ）の推薦度マークＰを表示してもよい。
【００３３】
更にまた、例えば図７に示すように、地図ＭＰと共に表示される各アイコンＴＵ乃至アイコンＳＢのそれぞれについて、それぞれが示す施設の地図ＭＰ上の位置関係により、例えばアイコンＴＵとアイコンＳＫとを重ねて表示する必要があり、またアイコンＭＡとアイコンＳＢとを重ねて表示する必要があるとする。この場合に地図制御部２は、図３ステップＳ２のアイコン等表示制御処理として例えば図７に示すように、推薦度データによる推薦度が高い方の施設を示すアイコン等が手前に表示されるように制御してもよい。即ち図７に例示する場合は、アイコンＳＫにより示されるＣ牛丼店の推薦度はアイコンＴＵにより示されるＡレンタルビデオ店の推薦度より高く、また、アイコンＭＡにより示されるＢハンバーガーショップの推薦度はアイコンＳＢにより示されるＤコーヒー店の推薦度より高いことになる。
【００３４】
以上の図５乃至図７に例示する態様でアイコン等の表示を制御することが、それぞれに本願に係る「表示制御手段による表示制御」の一例に相当する。
【００３５】
次に、図５乃至図７に例示する態様で表示されているアイコン等により示される地物を、例えば目的地として選択する際の操作例について、図８を用いて説明する。
【００３６】
即ち図８（ａ）に示すように、例えば図５（ｂ）に例示する態様で各推薦度マークＰと共にアイコンＴＵ乃至アイコンＳＢが地図ＭＰと共にディスプレイＤに表示されているとする。一方、実施例に係る地図表示制御装置ＮＶを含むナビゲーション装置が搭載されている車両のステアリングＳＴには、図８（ｂ）に例示するように、ステアリングホイールＳＨを保持するためのステアリングスポークＳＰの例えば右側正面に、静電式又は感圧式のタッチパッド２０が備えられている。
【００３７】
この状態で、ディスプレイＤに表示されているいずれかのアイコン等を選択すべき旨の所定の操作が図示しない操作部において実行されると、上記地図ＭＰの各アイコン以外の位置に、図８（ａ）に例示する地物−位置関連マーク１５が表示される。このとき図８に例示する場合、選択対象たるアイコンはアイコンＴＵ乃至アイコンＳＢの四つであり、それぞれの推薦度が相互に異なっている。そこでこれに対応する地物−位置関連マーク１５としては、当該推薦度ごとに四つの領域１５Ａ乃至領域１５Ｄに分割され、それぞれの領域１５Ａ乃至領域１５Ｄごとに対応する推薦度の順位を示す数字が表示されている。図８（ａ）に例示する場合、領域１５ＡにはアイコンＴＵに対応する推薦度の順位「１」が表示され、領域１５ＢにはアイコンＳＫに対応する推薦度の順位「２」が表示され、領域１５ＣにはアイコンＭＡに対応する推薦度の順位「３」が表示され、領域１５ＤにはアイコンＳＢに対応する推薦度の順位「４」が表示される。そしてこれらに対応してタッチパッド２０も、図８（ｂ）に例示する領域２０Ａ乃至領域２０Ｄに分割され、領域２０Ａが操作されることでアイコンＴＵが選択され、領域２０Ｂが操作されることでアイコンＳＫが選択され、領域２０Ｃが操作されることでアイコンＭＡが選択され、更に領域２０Ｄが操作されることでアイコンＳＢが選択されるように設定される。
【００３８】
そしてこれらにより、推薦度が最も高いＡレンタルビデオ店（アイコンＴＵにより示される）を選択しようとする使用者は、図８（ａ）に例示する地物−位置関連マーク１５を見ることでタッチパッド２０の左上の領域２０Ａが当該アイコンＴＵの選択用であることを認識し、当該領域２０Ａを操作することでアイコンＴＵにより示されるＡレンタルビデオ店を選択する。また例えば、推薦度が三番目のＢハンバーガーショップ（アイコンＭＡにより示される）を選択しようとする使用者は、上記地物−位置関連マーク１５を見ることでタッチパッド２０の左下の領域２０Ｃが当該アイコンＭＡの選択用であることを認識し、当該領域２０Ｃを操作することで、アイコンＭＡにより示されるＢハンバーガーショップを選択する。
【００３９】
以上それぞれ説明したように、実施例に係る地図表示制御処理によれば、アイコン等を用いて地物を表示するとき、推薦度データに基づいて、表示される地物を示すアイコン等を異なる表示態様で表示するので、使用者が地物の推薦度を迅速に認識可能に表示することができる。
【００４０】
また、アイコン等の表示に関連する使用者の履歴を示す履歴データ及び推薦度データに基づいて表示の態様を変える場合は、当該使用者により適合した態様でアイコン等及び推薦度マークを表示することができる。
【００４１】
更に図５に例示するように、地物についての推薦度の段階が認識可能な態様でアイコン等と推薦度マークＰとを関連付けて表示するので、地物の推薦度を短時間で認識することができる。
【００４２】
更にまた図５に例示するように、推薦度マークＰが、推薦度の順位を示す数字（図５（ａ）又は図５（ｂ）に例示する場合）、或いは推薦度を色又は模様で示す図形（図５（ｃ）に例示する場合）、のいずれかにすれば、より認識し易い態様で地物の推薦度を使用者に表示することができる。
【００４３】
また、アイコン等及び推薦度マークＰの表示に基づいて地物を選択する場合に地物−位置関連マーク１５を更に表示するので、所望する地物を使用者が容易に選択することができる。
【００４４】
[変形例]
次に、上述した実施形態に対応する変形例について説明する。
【００４５】
（Ｉ）第１変形例
例えば上記推薦度データが、時刻、曜日や日時に基づいて推薦度データ生成部１０により生成される場合、アイコン等及び推薦度マークＰがディスプレイに表示されている間に推薦度が変化し、推薦度の順位が下がることによってディスプレイＤから消えてしまうことが考えられる。その場合、第１変形例として、これまでのディスプレイＤに表示されていたアイコン等の地物の推薦度の順位が表示すべき順位より下がってしまった場合であっても、当該アイコン等及び推薦度マークＰの表示を継続するように構成してもよい。この場合に例えば、当該地物を示すアイコン等が地図ＭＰの表示外になるまで表示を継続したり、或いは消失する条件を満たしてから所定時間経過後に実際に消すようにしてもよい。また、アイコン等を消す場合にも、徐々にその透明度を高くする等、使用者が徐々に認識し難くなるような消し方でもよい。この第１変形例の場合は、使用者が意図しないアイコン等の表示の停止を防止できることで、当該使用者における利便性が向上することになる。またこの場合に、上記推薦度の変化が当該推薦度に対応する地物の利用についての時間的制限に起因する変化である場合には、時間的制限により推薦度が変化した地物であっても、使用者が再確認する際等における利便性を向上させることができる。
【００４６】
なお上記の第１変形例では、順位が下がることによりアイコン等及び推薦度マークが消えてしまうと記載したが、この例に限定されない。例えば、推薦度データが予め設定された表示停止推薦度まで変化したことを検出したことをきっかけとして、表示が消えてしまうような例にも、上記第１変形例は適用できる。
【００４７】
（II）第２変形例
次に第２変形例として、地図表示制御装置ＮＶを含むナビゲーション装置が搭載されている車両が移動している場合において、現在地以降の当該移動の経路に対応した地物以外の地物を示すアイコン等及び推薦度マークＰの表示を停止するように構成してもよい。具体的には車両が通り過ぎてしまった地物を示すアイコン等及び推薦度マークＰの表示を停止するように構成してもよい。この第２実施例の場合には、例えばＵターンの必要性等、地図表示制御装置ＮＶが搭載されている車両による到達が難しくなった地物についてのアイコン等及び推薦度マークＰの表示を停止することで、到達し易い地物についてのアイコン等の表示をより目立たせることができると共に、アイコン等の表示が過多となって地図ＭＰの表示全体が見難くなることを防止できる。
【００４８】
更に、例えば推薦度が上位４位以内の地物を示すアイコン等を表示するよう構成されていた場合に、車両が通り過ぎてしまった地物を示すアイコン等及び推薦度マークＰの表示を停止したら、推薦度が新たに上位４位以内になった地物を示すアイコン等及び推薦度マークＰを表示するようにしてもよい。尚その際に、推薦度マークＰは新たに上位４位以内になった地物のそれぞれの順位に応じた地物に対して表示されるように構成してもよい。
【００４９】
（III）第３変形例
次に第３変形例として、上記第２変形例の場合において、アイコン等及び推薦度マークＰの表示を停止するとき、当該表示の視認性を段階的に低下させた後にその表示を停止するように構成してもよい。この第３変形例の場合は、アイコン等の当該表示が一気に停止されることに起因する使用者における不便の発生を防止できる。
【００５０】
（IV）第４変形例
次に第４変形例として、上述した実施例では、各地物に対応する推薦度データについて、推薦度を示す当該推薦度データ（相対値又は絶対値）自体ではなく、地図ＭＰに表示される範囲内での当該推薦度の順位（段階）を推薦度マークＰにより表示する構成とした。しかしながらこれ以外に、当該推薦度データ自体を含む推薦度マークＰをアイコン等と共に表示して、当該推薦度データを認識させるように構成してもよい。この場合は、推薦度の順番としては変わらないがその値としては地物間で大きな差がある場合でも、その差まで使用者に認識させることができる。
【００５１】
（Ｖ）第５変形例
最後に第５変形例として、上記推薦度データを生成する際に、使用者個人の履歴を用いた推薦方法と、使用者個人の履歴を用いずに時間や人気度など一般的に得られる情報を用いた推薦方法など複数の推薦方法がある場合に、推薦方法に応じて地物を示すアイコン等の表示態様を異ならせてもよい。具体的には、使用者個人の履歴を用いた推薦方法の場合と使用者個人の履歴を用いない推薦方法とで、アイコン等の色や形を変えたり、推薦方法が分かるようなマークを付与して表示してもよい。なお好ましくは、使用者個人の履歴を用いた推薦方法により表示されているアイコン等を他の推薦方法により表示されているアイコン等よりも目立つように表示させてもよい。
【００５２】
（ＶＩ）他の変形例
その他の変形例として、図３に示したフローチャートに相当するプログラムを、光ディスク又はハードディスク等の記録媒体に記録しておき、或いはインターネット等のネットワークを介して取得しておき、これを汎用のマイクロコンピュータ等に読み出して実行することにより、当該マイクロコンピュータ等を実施例に係る表示制御部２として機能させることも可能である。
【符号の説明】
【００５３】
１    取得手段（インターフェース）
２    表示制御手段（表示制御部）
１０    推薦度データ生成部
Ｄ    ディスプレイ
Ｓ    表示制御装置
ＮＶ    地図表示制御装置。
【００５４】
ＭＰ    地図
ＴＵ、ＳＫ、ＭＡ、ＳＢ    アイコン
Ｐ１、Ｐ２、Ｐ３、Ｐ４    推薦度マーク
【図１】
2017045285.tif 000003
【図２】
2017045285.tif 000004
【図３】
2017045285.tif 000005
【図５】
2017045285.tif 000006
【図４】
2017045285.tif 000007
【図６】
2017045285.tif 000008
【図７】
2017045285.tif 000009
【図８】
2017045285.tif 000010